(57)【要約】【課題】記録装置の既存の機能を活用して排紙トレイ上への記録紙の適切な排紙を安価に行うことができる排紙装置およびこれを備えた記録装置を提供すること。【解決手段】排紙ローラ１９によって排出される記録紙Ｐに対して、当該記録紙Ｐを排紙トレイ２１上に吹き付ける方向の冷却用送風装置２４の風力を作用させることによって、当該記録紙Ｐを排紙トレイ２１上に整列させることが可能に形成されていること。【選択図】図１
2009274825.tif 000002
【特許請求の範囲】
【請求項１】
記録紙に対して記録を行う記録ヘッドと、この記録ヘッドの放熱を行うヒートシンクと、このヒートシンクを冷却するための冷却用送風装置とを有する記録装置に設けられ、前記記録ヘッドによる記録済みの前記記録紙を、排紙ローラによって排紙トレイ上に排出するように形成された排紙装置であって、
前記排紙ローラによって排出される前記記録紙に対して、当該記録紙を前記排紙トレイ上に押し付ける方向の前記冷却用送風装置の風力を作用させることによって、当該記録紙を前記冷却用送風装置の風力を用いて前記排紙トレイ上に整列させることが可能に形成されていること
を特徴とする排紙装置。
【請求項２】
前記冷却用送風装置から吹き出された風を、前記排紙ローラによって排出される前記記録紙側に導く導風手段を備えたこと
を特徴とする請求項１に記載の排紙装置。
【請求項３】
前記導風手段は、ダクトとされていること
を特徴とする請求項２に記載の排紙装置。
【請求項４】
記録紙に対して記録を行う記録ヘッドと、
この記録ヘッドの放熱を行うヒートシンクと、
このヒートシンクを冷却するための冷却用送風装置と、
前記記録ヘッドによる記録済みの前記記録紙を、排紙ローラによって排紙トレイ上に排出するように形成された排紙装置と
を備えた記録装置であって、
前記排紙装置は、
前記排紙ローラによって排出される前記記録紙に対して、当該記録紙を前記排紙トレイ上に押し付ける方向の前記冷却用送風装置の風力を作用させることによって、当該記録紙を前記冷却用送風装置の風力を用いて前記排紙トレイ上に整列させることが可能に形成されていること
を特徴とする記録装置。
【請求項５】
前記冷却用送風装置から吹き出された風を、前記排紙ローラによって排出される前記記録紙側に導く導風手段を備えたこと
を特徴とする請求項４に記載の記録装置。
【請求項６】
前記導風手段は、ダクトとされていること
を特徴とする請求項５に記載の記録装置。
【発明の詳細な説明】
【技術分野】
【０００１】
本発明は、排紙装置およびこれを備えた記録装置に係り、特に、記録済みの記録紙を排出するのに好適な排紙装置およびこれを備えた記録装置に関する。
【背景技術】
【０００２】
一般に、熱転写プリンタ等の記録装置においては、記録ヘッドによる記録が行われた記録済みの記録紙を、排紙ローラによって排紙トレイ上へと排出することが行われていた。
【０００３】
また、この種の記録装置の中には、排紙トレイ上に記録紙が排出される際に、排出される記録紙に対してファンから送風される空気を吹き付けることにより、排紙トレイ上への記録紙の積載不良を抑制するための手段を備えたものも提案されていた（例えば、特許文献１参照）。
【０００４】
【特許文献１】特開平１１−２７８７３９号公報
【発明の開示】
【発明が解決しようとする課題】
【０００５】
ところで、従来から、記録装置においては、熱転写プリンタのサーマルヘッド等の記録ヘッドの放熱を行うためのヒートシンクを記録ヘッドに設け、さらに、このヒートシンクを、ファン等の冷却手段によって冷却することが行われていた。
【０００６】
本発明者は、このような記録ヘッドのヒートシンクを冷却するための記録装置の既存の機能を排紙トレイ上への記録紙の排出に活用すべく本発明をなすに至った。
【０００７】
本発明は、記録装置の既存の機能を活用して排紙トレイ上への記録紙の適切な排紙を安価に行うことができる排紙装置およびこれを備えた記録装置を提供することを目的とするものである。
【課題を解決するための手段】
【０００８】
前述した目的を達成するため、本発明に係る排紙装置は、記録紙に対して記録を行う記録ヘッドと、この記録ヘッドの放熱を行うヒートシンクと、このヒートシンクを冷却するための冷却用送風装置とを有する記録装置に設けられ、前記記録ヘッドによる記録済みの前記記録紙を、排紙ローラによって排紙トレイ上に排出するように形成された排紙装置であって、前記排紙ローラによって排出される前記記録紙に対して、当該記録紙を前記排紙トレイ上に押し付ける方向の前記冷却用送風装置の風力を作用させることによって、当該記録紙を前記冷却用送風装置の風力を用いて前記排紙トレイ上に整列させることが可能に形成されていることを特徴としている。
【０００９】
そして、このような構成によれば、冷却用送風装置の風力を用いて記録紙を排紙トレイ上に整列させることができるので、記録装置の既存の機能を活用して排紙トレイ上への記録紙の適切な排紙を安価に行うことができる。
【００１０】
また、前記冷却用送風装置から吹き出された風を、前記排紙ローラによって排出される前記記録紙側に導く導風手段を備えることが好ましい。
【００１１】
そして、このような構成によれば、冷却用送風装置の風力を、記録紙にさらに確実に作用させることができる。
【００１２】
さらに、前記導風手段は、ダクトとされていることが好ましい。
【００１３】
そして、このような構成によれば、導風手段を簡易に構成することができる。
【００１４】
さらにまた、本発明に係る記録装置は、記録紙に対して記録を行う記録ヘッドと、この記録ヘッドの放熱を行うヒートシンクと、このヒートシンクを冷却するための冷却用送風装置と、前記記録ヘッドによる記録済みの前記記録紙を、排紙ローラによって排紙トレイ上に排出するように形成された排紙装置とを備えた記録装置であって、前記排紙装置は、前記排紙ローラによって排出される前記記録紙に対して、当該記録紙を前記排紙トレイ上に押し付ける方向の前記冷却用送風装置の風力を作用させることによって、当該記録紙を前記冷却用送風装置の風力を用いて前記排紙トレイ上に整列させることが可能に形成されていることを特徴としている。
【００１５】
そして、このような構成によれば、冷却用送風装置の風力を用いて記録紙を排紙トレイ上に整列させることができるので、記録装置の既存の機能を活用して排紙トレイ上への記録紙の適切な排紙を安価に行うことができる。
【００１６】
また、前記冷却用送風装置から吹き出された風を、前記排紙ローラによって排出される前記記録紙側に導く導風手段を備えることが好ましい。
【００１７】
そして、このような構成によれば、冷却用送風装置の風力を、記録紙にさらに確実に作用させることができる。
【００１８】
さらに、前記導風手段は、ダクトとされていることが好ましい。
【００１９】
そして、このような構成によれば、導風手段を簡易に構成することができる。
【発明の効果】
【００２０】
本発明によれば、記録装置の既存の機能を活用して排紙トレイ上への記録紙の適切な排紙を安価に行うことができる。
【発明を実施するための最良の形態】
【００２１】
以下、本発明の実施形態について、図１および図２を参照して説明する。
【００２２】
図１は、本実施形態における排紙装置を備えた記録装置としての熱転写プリンタ１を示したものであり、図２は、この熱転写プリンタ１における排紙装置４の構成を示したものである。
【００２３】
図１に示すように、本実施形態における熱転写プリンタ１は、プリンタ本体１ａに着脱可能に配設された箱状の給紙トレイ２を有しており、この給紙トレイ２内には、記録前の記録紙が積載収容されるようになっている。また、この給紙トレイ２は、プリンタ本体１ａの底面に対して鉛直上方に傾斜された状態としてプリンタ本体１ａに装着されるようになっている。さらに、給紙トレイ２内には、記録紙Ｐが載置される平板状のトレイプレート３が、その図１における上端縁を回動中心として回動自在に支持されており、このトレイプレート３は、その図１における下端部が、への字状のリフトアッププレート５とピックアップスプリング６とによって図１における時計方向に付勢されている。なお、トレイプレート３の下端部は、給紙トレイ２に形成された開口部を介して給紙トレイ２の外部に露出されている。
【００２４】
プリンタ本体１ａにおけるリフトアッププレート５の近傍位置には、モータ等の図示しない駆動源によって回転可能とされた第１のピックアップローラ７が配設されている。この第１のピックアップローラ７には、トレイプレート３上に載置された記録紙Ｐにおける給紙トレイ２の外部に露出された部位が、リフトアッププレート５およびピックアップスプリング６によるトレイプレート３の付勢にともなって圧接されるようになっている。そして、第１のピックアップローラ７は、記録紙Ｐが圧接された状態において図１における時計方向に回転することによって、記録紙Ｐを下流側へと搬送するようになっている。
【００２５】
第１のピックアップローラ７に対して給紙時における記録紙搬送方向の下流側となる位置には、モータ等の図示しない駆動源によって回転可能とされた第２のピックアップローラ８が配設されている。この第２のピックアップローラ８は、第１のピックアップローラ７によって搬送された記録紙Ｐをガイドローラ１０とともに挟持した状態として図１における反時計方向に回転することによって、記録紙Ｐを給紙時における下流側（図１における左方向）へと搬送するようになっている。そして、第２のピックアップローラ８は、記録紙Ｐを給紙時における下流側にある程度搬送した後に、回転方向を逆転させることによって、記録紙Ｐを記録位置へと搬送するようになっている。このとき、第２のピックアップローラ８とガイドローラ１０とに挟持された記録紙は、自らの紙コシによって搬送経路を変化させることにより、記録紙Ｐが第１のピックアップローラ７側に逆送されずに記録時における下流側の記録位置へと搬送されるように搬送方向を調整するようになっている。
【００２６】
第２のピックアップローラ８に対して記録時における記録紙搬送方向の下流側となる位置には、モータ等の図示しない駆動源によって回転可能とされた第３のピックアップローラ１１が配設されている。この第３のピックアップローラ１１は、第２のピックアップローラ８によって搬送された記録紙Ｐをガイドローラ１２とともに挟持した状態として図１における時計方向に回転することによって、記録紙Ｐを記録時における下流側（図１における右斜め上方）の記録位置へと搬送するようになっている。
【００２７】
第３のピックアップローラ１１に対して記録時における記録紙搬送方向の下流側となる記録位置には、プラテンローラ１４が配設されており、このプラテンローラ１４の近傍には、複数個の発熱素子が整列形成された記録ヘッドとしてのサーマルヘッド１５が、ヘッドレバー１６の回動動作にともなってプラテンローラ１４に対して接離可能に配設されている。プリンタ本体１ａにおけるサーマルヘッド１５の近傍には、インクリボンが巻回収容されたリボンカセット１７が着脱可能に配設されており、このリボンカセット１７は、プリンタ本体１ａへの装着状態において、インクリボンをサーマルヘッド１５とプラテンローラ１４との間に繰り出すことが可能とされている。そして、サーマルヘッド１５は、リボンカセット１７から繰り出されたインクリボンを、プラテンローラ１４上（すなわち記録位置）に搬送された記録紙Ｐに圧接させた状態として、複数個の発熱素子を選択的に発熱させることによって、記録紙Ｐに対する所望の熱転写記録を行うことが可能とされている。
【００２８】
サーマルヘッド１５に対して排紙時における記録紙搬送方向の下流側となる位置には、モータ等の図示しない駆動源によって回転可能とされた排紙ローラ１９が配設されており、この排紙ローラ１９は、本実施形態における排紙装置４の一部を構成している。この排紙ローラ１９は、サーマルヘッド１５による記録済みの記録紙を、排紙装置４の一部を構成するガイドローラ２０とともに挟持した状態として図１および図２における時計方向に回転することによって、記録済みの記録紙を図１および図２における右斜め上方へと搬送して、排紙位置へと排出するようになっている。
【００２９】
排紙ローラ１９に対して排紙時における下流側となる排紙位置には、排紙ローラ１９とともに本実施形態における排紙装置４を構成する排紙トレイ２１が配設されており、排紙ローラ１９は、この排紙トレイ２１上に、記録済みの記録紙を排出するようになっている。なお、図２に示すように、本実施形態における排紙トレイ２１は、その記録紙の紙面に臨む壁面２１ａが、プリンタ本体１ａの底面に対して直角に近い角度で傾斜されているとともに、その記録紙の下端部に臨む壁面２１ｂが、プリンタ本体１ａの底面に対して平行に近い角度で傾斜されている。このため、排紙トレイ上２１に排出された記録紙は、排紙トレイ２１内において斜めに立てて整列された状態として収容されるようになっている。
【００３０】
そして、本実施形態においては、このような記録済みの記録紙Ｐを排紙トレイ２１上に排出する動作を適切に行うための手段が講じられている。
【００３１】
すなわち、図１に示すように、サーマルヘッド１５における発熱素子の形成面の反対側の面（以下、背面と称する）には、サーマルヘッド１５の放熱を行うためのアルミニウム等からなる板状のヒートシンク１８が取り付けられており、このヒートシンク１８は、サーマルヘッド１５の背面からリボンカセット１７の巻取りコア２３を乗り越えるようにして、その図１における上端部が排紙ローラ１９の近傍に至る位置まで延出するように形成されている。
【００３２】
また、図１および図２に示すように、ヒートシンク１８における上端部の近傍には、冷却用送風装置としての冷却ファン２４が、その送風口２４ａをヒートシンク１８に背けるように配設されており、この冷却ファン２４は、後述するダクト２５を介してヒートシンク１８を冷却可能とされている。
【００３３】
さらに、図１および図２に示すように、冷却ファン２４には、導風手段としてのダクト２５が取り付けられており、このダクト２５は、冷却ファン２４とともに排紙装置４を構成するようになっている。
【００３４】
すなわち、ダクト２５は、その図２における下端部２５ａが、冷却ファン２４における送風口２４ａ側の表面の下端部に取り付けられているとともに、送風口２４ａを覆うようにして排紙ローラ１９側に向かって屈曲して、その図２における右端部２５ｂが、ガイドローラ２０の上方近傍に至る位置まで形成されている。
【００３５】
次に、このような構成を有する本実施形態の主たる作用について説明する。
【００３６】
なお、便宜上、初期状態においては、サーマルヘッド１５による熱転写記録が既に開始されているとともに、冷却ファン２４が駆動されて送風口２４ａから風が吹き出されているものとする。
【００３７】
図２に示すように、本実施形態においては、サーマルヘッド１５による熱転写記録が行われた記録済みの記録紙Ｐは、排紙ローラ１９とガイドローラ２０との間に挟持された状態として排紙トレイ２１上へと排出される。
【００３８】
このとき、冷却ファン２４から吹き出された風は、その流動方向を表す図２の矢印Ａに示すように、ダクト２５によって送風方向の反対方向側に反射されるようにして排紙ローラ１９側に導かれる。
【００３９】
これにより、図２の矢印Ｂに示すように、排紙ローラ１９から排出される記録紙Ｐに対して、当該記録紙Ｐを排紙トレイ２１上に押し付ける方向の冷却ファン２４の風力が作用する。
【００４０】
このようにして風力を作用させることにより、排紙ローラ１９から排出される記録紙を、排紙トレイ２１上に確実に整列されることができる。
【００４１】
このとき、排紙ローラ１９側に導かれた風は、その一部が、図２の矢印Ｃに示すように、ヒートシンク１８側に流動して、ヒートシンク１８に吹き付けられることによって、ヒートシンク１８を冷却することができる。
【００４２】
以上述べたように、本実施形態によれば、冷却ファン２４の風力を用いて記録紙Ｐを排紙トレイ２１上に整列させることができるので、熱転写プリンタ１の既存の機能を活用して排紙トレイ２１上への記録紙の適切な排紙を安価に行うことができる。
【００４３】
なお、本発明は、前述した実施の形態に限定されるものではなく、必要に応じて種々の変更が可能である。
【００４４】
例えば、冷却ファンを、ヒートシンク１８に臨む面にも送風口２４ａを有するような両面ファンにすることによって、冷却ファンから吹き出された風が、ダクト２５を介さずともヒートシンク１８に直接吹き付けられるように構成してもよい。
【００４５】
また、本発明は、ヒートシンクを備えたものであれば、サーマルヘッド以外の記録ヘッド（例えば、インクジェットヘッド）を備えたプリンタにも有効に適用することができるものである。
【図面の簡単な説明】
【００４６】
【図１】本発明に係る記録装置の一例としての熱転写プリンタを示す構成図
【図２】本発明に係る排紙装置の実施形態を示す構成図
【符号の説明】
【００４７】
１  熱転写プリンタ
１５  サーマルヘッド
１８  ヒートシンク
１９  排紙ローラ
２０  ガイドローラ
２１  排紙トレイ
２４  冷却ファン
２５  ダクト
【図１】
2009274825.tif 000003
【図２】
2009274825.tif 000004